(57)【要約】【課題】下枠から立ち上げて形成した網戸走行用のレール部を利用することにより、グレーチング部材の受け支持部材を容易にかつ安定して下枠に固定できようにする。【解決手段】下枠１０の上面全体を略フラットに形成した外部開口用下枠フラットサッシと；室外側のデッキと；これらの間を塞ぐグレーチング部材７３とを略フラットに配設したものであって：前記下枠１０から網戸走行用のレール部１５を立ち上げて形成し、前記レール部１５の上部室外側に下向きの係合受け溝１５Ｂを一体的に形成し、前記下枠１０の長手方向中間に室外側に突出して複数の受け支持部材９０を配し、前記受け支持部材９０は、その室内側端面が前記下枠１０の室外面に当接し、かつ受け支持部材９０の室内側上部が前記係合受け溝１５Ｂに係合した状態で前記下枠に固定され、前記グレーチング部材７３は複数の受け支持部材上に跨って配設されている。【選択図】図１７
2004270434.tif 000002
【特許請求の範囲】
【請求項１】
下枠のレール部に沿って、障子下框に設けられた戸車を介して左右にスライドする障子を有し、かつ前記レール部の上面を含んで前記下枠の上面全体を略フラットに形成した、外部開口用下枠フラットサッシと；室外側のデッキと；これらの間を塞ぐグレーチング部材とを略フラットに配設したものであって：
前記下枠から網戸走行用のレール部を立ち上げて形成し、
前記レール部の上部室外側に下向きの係合受け溝を一体的に形成し、
前記下枠の長手方向中間に室外側に突出して複数の受け支持部材を配し、
前記受け支持部材は、その室内側端面が前記下枠の室外面に当接し、かつ受け支持部材の室内側上部が前記係合受け溝に係合した状態で前記下枠に固定され、
前記グレーチング部材は複数の受け支持部材上に跨って配設されている、
ことを特徴とする外部開口用下枠フラットサッシのグレーチング装置。
【請求項２】
受け支持部材は、隣接して室外側に突出する受け支持板部と、これら室外側を繋ぐ繋ぎ部と、各受け支持板部の室内側において下枠の長手方向に沿う固定座部とが一体化され、前記受け支持板部の室内側上部が係合受け溝にそれぞれ係合し、前記受け支持板部の室内側端面が下枠の室外面に当接し、かつ、固定座部が下枠の室外面に当接されて固定具を介して固定されている請求項１記載の外部開口用下枠フラットサッシのグレーチング装置。
【請求項３】
固定座部は受け支持板部の下部に形成され、かつ固定座部の室内面は受け支持板部の室内側端面より室内側に張出して位置し、他方で、下枠の室外面には下側より上側が室外側に張出す段部が形成され、前記固定座部は下枠の段部の肩に当てられた状態で下部に位置して固定具を介して固定されている請求項２記載の外部開口用下枠フラットサッシのグレーチング装置。
【請求項４】
グレーチング部材は、グレーチング本体板と、該グレーチング本体板の室内及び室外側端縁からそれぞれ下方に折曲させた室内片及び室外片と、を備えた断面略溝形の部材であり、該室内片は前記受け支持板部を切欠いて形成された切欠部に係止若しくは載置され、他方、室外片は前記受け支持板部の室外側端縁に隣接した状態で、グレーチング部材が複数の受け支持部材上に跨って配設されている、請求項２又は３記載の外部開口用下枠フラットサッシのグレーチング装置。
【請求項５】
繋ぎ部の下側には、該繋ぎ部から少なくともグレーチング部材の室外片の肉厚分の間隔をもって室外側に突出すると共に上方に延在した、前記室外片を係合させる係合受け片が形成され、この係合受け片に前記室外片が係合される状態で、グレーチング部材が複数の受け支持部材上に跨って配設されている、請求項４記載の外部開口用下枠フラットサッシのグレーチング装置。
【請求項６】
グレーチング部材の室内片の下端縁には、該下端縁から室外方向に折曲した折曲部が形成され、この折曲部が前記切欠部上に載置された状態で、グレーチング部材が複数の受け支持部材上に跨って配設されている、請求項４又は５記載の外部開口用下枠フラットサッシのグレーチング装置。
【請求項７】
グレーチング部材及び受け支持部材は金属製であり、グレーチング部材が受け支持部材上面に設けたゴムまたはプラスチック材を介して乗っている請求項１乃至６のいずれか１項記載の外部開口用下枠フラットサッシのグレーチング装置。
【発明の詳細な説明】
【技術分野】
【０００１】
本発明は、建築物の屋外開口に設置する、下枠の上面全体を略フラットに形成した屋外開口用下枠フラットサッシにおけるグレーチング装置に関する。
【背景技術】
【０００２】
従来、建築物の屋外開口部に設置されるサッシの下枠には、当該サッシを構成する障子を左右にスライドさせるために、障子の下框に設けられた戸車を回動させるリブ状のレール部が形成されている。
【０００３】
通常、このリブ状のレール部並びに内障子及び外障子の当該レール部によって区画されたレール溝は、サッシの雨仕舞の観点より、室外側よりも室内側が高くなるように段差を設けて形成されている。すなわち、障子や窓ガラスに吹き付けられた雨水は、障子や窓ガラスに沿って落下し、下枠のレール溝に溜まるが、このレール溝が室外側よりも室内側が高くなるように段差を設けて形成されているため、レール溝に溜まった雨水の自重により室内側への雨水の侵入を防ぎ、またレール溝に溜まった雨水は屋外へ排出されるようになっている。
【０００４】
一方、近年では、バリアフリー若しくはユニバーサルデザインの観点から、リブ状のレール部を室内側と室外側で段差を設けることなく略フラットに配設した下枠フラットサッシや、さらにレール部をリブ状でなくレ−ル部の上面を略フラットにした下枠フラットサッシも開発されている（例えば、特許文献１参照）。
【０００５】
とりわけ、このレール部の上面を略フラットにした下枠フラットサッシでは、一定以上の水密性、気密性を確保することが課題となっており、特許文献１では、室内への雨水の侵入を防ぐために、障子と下枠との間を横タイト材を介して気密にする等気圧構造を採用している。具体的には、障子下框の室内側に垂下片（スライド片）が形成され、この垂下片と下枠のレール溝の室内側側壁に設けられた横タイト材とで水密性と気密性を確保している。
【０００６】
また、この種の下枠フラットサッシにおいて、グレーチング装置に関しては特許文献２に開示がある。
【特許文献１】特許第３３３０５８号（６頁、図１）
【特許文献２】特開２００２−２２７５３４号（５頁、図３）
【発明の開示】
【発明が解決しようとする課題】
【０００７】
特許文献２におけるグレーチング装置においては、専ら、グレーチング部材を受ける連結具の下枠への固定は、下枠に対するビス止めに頼るものであり、そのためにビス固定箇所の数が多くなり（同実施の形態では４箇所）、その分固定の手数が多くなるばかりでなく、連結具の下枠への固定の位置設定にも注意が必要となる。しかも、ビス止めにみに頼ることは、それが外れたり緩んだときに、連結具が、強いてはグレーチング部材も不安定となるものである。
【０００８】
そこで、本発明の主たる課題は、下枠から立ち上げて形成した網戸走行用のレール部を利用することにより、グレーチング部材の受け支持部材を容易にかつ安定して下枠に固定でき、もって、グレーチング部材も安定して設置できるグレーチング装置を提供することにある。
【課題を解決するための手段】
【０００９】
上記課題を解決した本発明は次記のとおりである。
＜請求項１項記載の発明＞
下枠のレール部に沿って、障子下框に設けられた戸車を介して左右にスライドする障子を有し、かつ前記レール部の上面を含んで前記下枠の上面全体を略フラットに形成した、外部開口用下枠フラットサッシと；室外側のデッキと；これらの間を塞ぐグレーチング部材とを略フラットに配設したものであって：
前記下枠から網戸走行用のレール部を立ち上げて形成し、
前記レール部の上部室外側に下向きの係合受け溝を一体的に形成し、
前記下枠の長手方向中間に室外側に突出して複数の受け支持部材を配し、
前記受け支持部材は、その室内側端面が前記下枠の室外面に当接し、かつ受け支持部材の室内側上部が前記係合受け溝に係合した状態で前記下枠に固定され、
前記グレーチング部材は複数の受け支持部材上に跨って配設されている、
ことを特徴とする外部開口用下枠フラットサッシのグレーチング装置。
【００１０】
（作用効果）
受け支持部材は、その室内側上部がレール部の上部室外側に下向きの係合受け溝に係合し、受け支持部材の室内側端面が下枠の室外面に当接する状態で下枠に固定されている。したがって、グレーチング部材を介しての載荷重に伴う受け支持部材のモーメントを、係合受け溝で受け止めつつ、受け支持部材の室内側端面が下枠の室外面に当接する突っ張りで支持できる。よって、荷重に対する安定性はビス止めによる場合に比較して、格段に優れたものとなる。
【００１１】
その結果、ビスなどの固定具による固定箇所は、特許文献２のように上下それぞれにおいてビス固定が必要となることなく、受け支持部材の下部のみで足りるので、その分施工の手数が削減する。
【００１２】
しかも、受け支持部材は、その室内側上部を係合受け溝に係合することで、上下方向に位置決めを行うことができ、位置決めを簡易にかつ正確に行うことができ、下枠フラットサッシと室外側のデッキとグレーチング部とのフラット化を確実に行うことができる。
【００１３】
＜請求項２項記載の発明＞
受け支持部材は、隣接して室外側に突出する受け支持板部と、これら室外側を繋ぐ繋ぎ部と、各受け支持板部の室内側において下枠の長手方向に沿う固定座部とが一体化され、前記受け支持板部の室内側上部が係合受け溝にそれぞれ係合し、前記受け支持板部の室内側端面が下枠の室外面に当接し、かつ、固定座部が下枠の室外面に当接されて固定具を介して固定されている請求項１記載の外部開口用下枠フラットサッシのグレーチング装置。
【００１４】
（作用効果）
受け支持部材を、受け支持板部と、繋ぎ部と、固定座部とで一体的に形成することにより、受け支持部材自体の剛性が高まる。
【００１５】
＜請求項３項記載の発明＞
固定座部は受け支持板部の下部に形成され、かつ固定座部の室内面は受け支持板部の室内側端面より室内側に張出して位置し、他方で、下枠の室外面には下側より上側が室外側に張出す段部が形成され、前記固定座部は下枠の段部の肩に当てられた状態で下部に位置して固定具を介して固定されている請求項２記載の外部開口用下枠フラットサッシのグレーチング装置。
【００１６】
（作用効果）
固定座部は下枠の段部の肩に当てられた状態で下部に位置して固定具を介して固定されていると、前記のモーメントを前記の肩で受けることができ、より安定する。また、予め、肩と係合受け溝の底までの寸法に対して、受け支持板部の室内側端面が下枠の室外面への当接する部分の長さ寸法をやや短くしておけば、固定座部の上端を下枠の段部の肩に当てたときには、受け支持板部の室内側上部が係合受け溝に係合する状態となり、簡易な位置決めにも役立つ。
【００１７】
＜請求項４項記載の発明＞
グレーチング部材は、グレーチング本体板と、該グレーチング本体板の室内及び室外側端縁からそれぞれ下方に折曲させた室内片及び室外片と、を備えた断面略溝形の部材であり、該室内片は前記受け支持板部を切欠いて形成された切欠部に係止若しくは載置され、他方、室外片は前記受け支持板部の室外側端縁に隣接した状態で、グレーチング部材が複数の受け支持部材上に跨って配設されている、請求項２又は３記載の外部開口用下枠フラットサッシのグレーチング装置。
【００１８】
（作用効果）
断面略溝形のグレーチング部材における室内片が、切欠部に係止若しくは載置される構成となっていることにより、室内側から室外側及び室外側から室内側へのグレーチング部材のズレ（スライド移動）、又は室内側から室外側若しくは室外側から室内側へのグレーチング部材のズレ（スライド移動）が防止される。また、同構成により、グレーチング本体板上に人等が乗った際の、室内側から室外側及び室外側から室内側へのグレーチング部材の回転運動（傾き）、又は室内側から室外側若しくは室外側から室内側へのグレーチング部材の回転運動（傾き）が抑止される。
【００１９】
＜請求項５項記載の発明＞
繋ぎ部の下側には、該繋ぎ部から少なくともグレーチング部材の室外片の肉厚分の間隔をもって室外側に突出すると共に上方に延在した、前記室外片を係合させる係合受け片が形成され、この係合受け片に前記室外片が係合される状態で、グレーチング部材が複数の受け支持部材上に跨って配設されている、請求項４記載の外部開口用下枠フラットサッシのグレーチング装置。
【００２０】
（作用効果）
断面略溝形のグレーチング部材における室外片が、係合受け片に係合される構成となっていることにより、第１に、室内側から室外側及び室外側から室内側へのグレーチング部材のズレ（スライド移動）、又は室内側から室外側若しくは室外側から室内側へのグレーチング部材のズレ（スライド移動）が防止される。第２に、係合受け片は、係合受け片よりも室外側に配置されるデッキを敷設する際の、デッキ配置の位置決めのための基準面となる。すなわち、デッキを敷設するときには、この係合受け片を頼りに、デッキの一方の端縁を係合受け片に当接するだけで位置決めができるので、デッキの敷設作業を容易化する。第３に、グレーチング部材とデッキとの間には、係合受け片の肉厚分の隙間ができるので、サッシ長手方向に隣接する受け支持部材間の隙間にグレーチング部材やデッキに溜まった雨水等を排水することができる。第４に、グレーチング本体板上に人等が乗った際の、室内側から室外側及び室外側から室内側へのグレーチング部材の回転運動（傾き）、又は室内側から室外側若しくは室外側から室内側へのグレーチング部材の回転運動（傾き）も抑止することができる。
【００２１】
＜請求項６項記載の発明＞
グレーチング部材の室内片の下端縁には、該下端縁から室外方向に折曲した折曲部が形成され、この折曲部が前記切欠部上に載置された状態で、グレーチング部材が複数の受け支持部材上に跨って配設されている、請求項４又は５記載の外部開口用下枠フラットサッシのグレーチング装置。
【００２２】
（作用効果）
グレーチング部材の室内片の下端縁に、室外方向に折曲した折曲部が形成された構成とすることにより、グレーチング部材自体の剛性を強化することができ、グレーチング本体板上に人等が乗った際の撓み等が抑止される。また、折曲部が切欠部上に載置された構成とすることにより、グレーチング本体板上に人等が乗った際の、室内側から室外側及び室外側から室内側へのグレーチング部材の回転運動（傾き）、又は室内側から室外側若しくは室外側から室内側へのグレーチング部材の回転運動（傾き）が抑止される。
【００２３】
＜請求項７項記載の発明＞
グレーチング部材及び受け支持部材は金属製であり、グレーチング部材が受け支持部材上面に設けたゴムまたはプラスチック材を介して乗っている請求項１乃至６のいずれか１項記載の外部開口用下枠フラットサッシのグレーチング装置。
【００２４】
（作用効果）
グレーチング部材及び受け支持部材を金属製とすると、グレーチング部材に乗ってずれたとき、受け支持部材に接触して不快な金属音を発する。これに対し、受け支持部材上面にゴムまたはプラスチック材を設けると、金属音の発生を防止できる。
【発明の効果】
【００２５】
本発明に係る外部開口用下枠フラットサッシのグレーチング装置によれば、下枠から立ち上げて形成した網戸走行用のレール部を利用することにより、グレーチング部材の受け支持部材を容易にかつ安定して下枠に固定でき、もって、グレーチング部材も安定して設置できる。    
【発明を実施するための最良の形態】
【００２６】
次に、本発明の実施の形態を説明するに先立って、理解を深めるために、実施の形態に含まれる実施態様を予め説明しておく。
【００２７】
『実施態様の説明』
前述の特許文献１のように、障子下框の室内側の垂下片と横タイト材のみによる水密性と気密性の確保には、以下のような問題点がある。
第１に、垂下片（スライド片）が室内側にのみ形成されているので、図２２（ａ）の点線で囲った範囲に示すように、内障子１及び外障子２や窓ガラス３に吹き付けられた雨水は、障子下框１ａ、２ａの下部の室外側から侵入し、障子下框垂下片１ｃ、２ｃと横タイト材７６によるタイトラインよりも上に位置する下枠レール部の上面４，５に溜まりやすいので、当該横タイト材７６の負担が大きく、水密性に不利である。
【００２８】
第２に、下枠レール部上面４、５まで雨水が侵入し、かつ溜まるので、引き違いサッシの内障子１等の召し合わせ框の室外側下部や当該框の底部における水密性や気密性の確保が難しくなっている。
【００２９】
第３に、図２３（ａ）の点線で囲った範囲に示すように、下枠レール部上面４，５には埃や塵も溜まりやすく、また、これらが溜まった下枠レール部上面４，５を障子の戸車６が移動することにより、人目につきやすいレール部上面４，５に細かな傷がつき、美感等の観点から、頻繁に補修や交換等のメンテナンスを行う必要が生じる。
【００３０】
第４に、内障子及び外障子の室外側に垂下片が形成されていないので、図２４（ａ）に示すように、室外側から内障子及び外障子下框１ａ，２ａの底部と下枠レール部の上面４，５との隙間に、バール７等が差し込まれて、障子が持ち上げられることによって内障子及び外障子１，２が外され、屋外からの侵入を容易にさせるという防犯上の危険性を伴っている。
【００３１】
上記課題を解決するための実施の態様は、次のとおりである。
＜実施の態様１＞
実施の態様１は、下枠のレール部に沿って、障子下框に設けられた戸車を介して左右にスライドする障子を有し、かつ前記レール部の上面を含んで前記下枠の上面全体を略フラットに形成した、外部開口用下枠フラットサッシであって、
前記下枠内に外部と連通する排水口を有する中空部を形成し、
前記障子はその下框の室内側垂下片及び室外側垂下片を形成し、
前記中空部上方に、上面が略フラットな前記レール部と、このレール部の室内側と室外側とにそれぞれ前記レール部と略同じ高さの室内側立ち上がり片及び室外側立ち上がり片とを並設し、
前記室内側立ち上がり片と前記レール部側面とで前記室内側垂下片の室内側ガイド溝を、並びに前記室外側立ち上がり片と前記レール部側面とで前記室外側垂下片の室外側ガイド溝を、それぞれ形成し、
前記室内側垂下片と前記室内側立ち上がり片との間に横タイト材を摺接するように介在させ、
前記室外側ガイド溝に水抜き孔を設けて、前記下枠中空部を介して外部と連通させる
ことを特徴とする外部開口用下枠フラットサッシである。
【００３２】
（作用効果）
この実施の態様１では、障子の下框の室内側だけでなく、室外側にも垂下片が形成されているので、この室外側垂下片によって、室外側の障子面や窓ガラスに沿って落下した雨水の室内への侵入が拒まれる。すなわち、当該室外側垂下片は実質的な水切りとして機能する。したがって、この室外側垂下片で水切りを行い、かつ室内側垂下片と横タイト材とで水密性や気密性を確実に確保することができる。具体的には、室外側垂下片で水切りが行われることにより、雨水の大半は室外側ガイド溝に流れ落ち下枠中空部を介して外部に排出されるので、横タイト材によるタイトラインよりも上に位置するレール部の上面に雨水が浸入しにくく、仮にレール部の上面に雨水が浸入した場合でも、室内側垂下片と横タイト材により室内へ漏水をすることなく、雨水は室内側ガイド溝に落ち、下枠中空部を介して外部に排出される。つまり、水切りラインとタイトラインを別々に設ける二重構造により、タイトラインの負担を軽減させ、水密性や気密性を高めている。
【００３３】
また、室外側垂下片を設けレール部の上面への雨水の侵入を少なくしたことにより、引き違いサッシの内障子や、片引きサッシ又は引き分けサッシの嵌め殺し障子の、召し合わせ框の室外側下部や当該框の底部における水密性や気密性の確保がしやすくなっている。すなわち、レール部の上面に位置する、召し合わせ框の底部の水密性や気密性は高くなっており、また、室外側垂下片を設けたことにより、召し合わせ框の室外側下部の雨仕舞を、その構造を複雑にせずに確実に行うことができる。
【００３４】
さらに、室外側垂下片を設けたことにより、レール部の上面に埃や塵が溜まりにくく、メンテナンス性にも優れており、また、外部からバール等を差し込まれるような隙間がないため，防犯性にも優れている。
【００３５】
＜実施の態様２＞
実施の態様２は、下枠のレール部に沿って、障子下框に設けられた戸車を介して左右にスライドする障子を有し、かつ前記レール部の上面を含んで前記下枠の上面全体を略フラットに形成した、内外障子からなる引き違いサッシにおける外部開口用下枠フラットサッシであって、
前記下枠内に外部と連通する排水口を有する中空部を形成し、
前記内障子及び外障子は、それぞれの下框に室内側垂下片及び室外側垂下片を形成し、
サッシ下枠を室内側から室外側を見て、前記中空部上方に、第１の立ち上がり片、内障子用のレール部、第２の立ち上がり片、外障子用のレール部及び第３の立ち上がり片を形成し、かつ前記第１〜第３の立ち上がり片は前記レール部と略同じ高さであり、
前記内障子用のレール部室内側側面と前記第１の立ち上がり片とで内障子の前記室内側垂下片の室内側ガイド溝を、及び前記内障子用のレール部室外側側面と前記第２の立ち上がり片とで内障子の前記室外側垂下片の室外側ガイド溝を形成し、
また、前記外障子用のレール部室内側側面と前記第２の立ち上がり片とで外障子の前記室内側垂下片の室内側ガイド溝を、及び前記外障子用のレール部室外側側面と前記第３の立ち上がり片とで外障子の前記室外側垂下片の室外側ガイド溝を形成し、
前記内障子の室内側垂下片と前記第１の立ち上がり片との間、及び前記外障子の室内側垂下片と前記第２の立ち上がり片との間とに横タイト材を摺接するように介在させ、
前期内障子及び前記外障子用の室外側ガイド溝と、前記外障子用の室内側ガイド溝とに水抜き孔を設けて、前記下枠中空部を介して外部と連通させる
ことを特徴とする外部開口用下枠フラットサッシである。
【００３６】
（作用効果）
実施の態様２では、内外障子からなる引き違いサッシにおける内外障子の下框の室内側だけでなく、室外側にも垂下片が形成されているので、この室外側垂下片によって、室外側の障子面や窓ガラスに沿って落下した雨水の室内への侵入が拒まれる。すなわち、当該内障子及び外障子の室外側垂下片は実質的な水切りとして機能する。したがって、これら室外側垂下片で水切りを行い、かつ室内側垂下片と横タイト材とで水密性や気密性を確実に確保することができる。具体的には、内障子及び外障子の室外側垂下片で水切りが行われることにより、雨水の大半はそれぞれの室外側ガイド溝に流れ落ち下枠中空部を介して外部に排出されるので、横タイト材によるタイトラインよりも上に位置するレール部の上面に雨水が浸入しにくく、仮にレール部の上面に雨水が浸入した場合でも、内障子及び外障子の室内側垂下片と横タイト材により室内へ漏水をすることなく、雨水はそれぞれの室内側ガイド溝に落ち、下枠中空部を介して外部に排出される。つまり、水切りラインとタイトラインを別々に設ける二重構造により、タイトラインの負担を軽減させ、水密性や気密性を高めている。
【００３７】
また、内障子及び外障子の室外側垂下片を設けレール部の上面への雨水の侵入を少なくしたことにより、引き違いサッシの内障子の召し合わせ框の室外側下部や当該框の底部における水密性や気密性の確保がしやすくなっている。すなわち、内障子用のレール部の上面に位置する、召し合わせ框の底部の水密性や気密性は高くなっており、また、内障子の下框に室外側垂下片を設けたことにより、召し合わせ框の室外側下部の雨仕舞を、その構造を複雑にせずに確実に行うことができる。
【００３８】
さらに、内障子及び外障子の下框に室外側垂下片を設けたことにより、レール部の上面に埃や塵が溜まりにくく、メンテナンス性にも優れており、また、外部からバール等を差し込まれるような隙間がないため，防犯性にも優れている。
【００３９】
＜実施の態様３＞
実施の態様３は、内外障子からなる引き違いサッシにおける内障子の召し合わせ框の室外面に、当該室外面と外障子の召し合わせ框の室内面との間を気密にする縦タイト材を形成し、
内障子の召し合わせ框の室外面下部及び当該框底部にブロック体を設け、当該框室外面下部と外障子の召し合わせ框の室内面下部との間を気密にするとともに、当該内障子の召し合わせ框底部と内障子用のレール部上面との間を気密にし、
また、前記引き違いサッシを閉じた状態で前記内障子の召し合わせ框の底部に位置する、レール部の室内側及び室外側のガイド溝にタイト材を埋設し、
さらに、前記引き違いサッシを閉じた状態で前記縦タイト材、前記ブロック体及び前記埋設されたタイト材により形成されたタイトラインよりも外部かつ近接した位置の下枠に、水抜き孔を設けた実施の態様１又は２記載の外部開口用下枠フラットサッシである。
【００４０】
（作用効果）
内外障子からなる引き違いサッシにおける内障子の召し合わせ框室外面と外障子の召し合わせ框の室内面との間を縦タイト材により気密状態にすることによって、内障子の召し合わせ框及び外障子の召し合わせ框に吹き付けられた雨水は、室内への侵入が拒まれ、それぞれの召し合わせ框に沿って落下する。
【００４１】
次に、それぞれの召し合わせ框に沿って落下した雨水や召し合わせ框下部に吹き付けられた雨水に対しては、内障子の召し合わせ框室外面下部と外障子の召し合わせ框の室内面下部との間の隙間部分を気密にするブロック体により、室内への漏水を防止することができる。加えて、このブロック体により、内障子の召し合わせ框底部と内障子用のレール部上面との間が気密状態にされるので、下枠レール部の上面からの雨水の侵入を防止することができる。
【００４２】
また、前記引き違いサッシを閉じた状態で前記内障子の召し合わせ框の底部に位置するレール部の室内側及び室外側のガイド溝にタイト材を埋設することにより、ガイド溝から室内への雨水の流れ込みを防止することができる。
【００４３】
さらに、前記縦タイト材、前記ブロック体及び前記埋設されたタイト材により形成されたタイトラインで気密と水密を確実にするだけではなく、このタイトラインよりも外部かつ近接した位置の下枠に設けた水抜き孔により、下枠中空部を介して雨水の外部への排出を促進することで、室内への漏水防止効果を高めている。
【００４４】
＜実施の態様４＞
実施の態様４は、片引きサッシ又は引き分けサッシにおける嵌め殺し部の縦枠の室外面に、当該室外面と外障子の召し合わせ框の室内面との間を気密にする縦タイト材を形成し、
前記嵌め殺し障子部の縦枠の室外面下部に、当該室外面下部と外障子の召し合わせ框の室内面下部との間を気密にするブロック体を設け、
また、前記片引きサッシ又は引き分けサッシにおける外障子を閉じた状態で、前記縦タイト材及び前記ブロック体により形成されたタイトラインよりも外部かつ近接した位置の下枠に、水抜き孔を設けた実施の態様１記載の外部開口用下枠フラットサッシである。
【００４５】
（作用効果）
片引きサッシ又は引き分けサッシにおける嵌め殺し部の縦枠の室外面と外障子の召し合わせ框の室内面との間を縦タイト材により気密状態にすることによって、嵌め殺し部の縦枠及び外障子の召し合わせ框に吹き付けられた雨水は、室内への侵入が拒まれ、それぞれの召し合わせ框に沿って落下する。
【００４６】
次に、それぞれの召し合わせ框に沿って落下した雨水や召し合わせ框下部に吹き付けられた雨水に対しては、嵌め殺し部の縦枠室外面下部と外障子の召し合わせ框の室内面下部との間の隙間部分を気密にするブロック体により、室内への漏水を防止することができる。
【００４７】
また、前記縦タイト材及び前記ブロック体により形成されたタイトラインで気密と水密を確実にするだけではなく、このタイトラインよりも外部かつ近接した位置の下枠に設けた水抜き孔により、下枠中空部を介して雨水の外部への排出を促進することで、室内への漏水防止効果を高めている。
【００４８】
＜実施の態様５＞
実施の態様５は、前記レール部は、一対の立ち上がり片で室内側及び室外側側面を形成し、かつ着脱自在なレール部の上面構成部材を前記レール部の室内側及び室外側側面と嵌合することで形成される、実施の態様１乃至４のいずれかの１項に記載の外部開口用下枠フラットサッシである。
【００４９】
（作用効果）
レール部の上面を略フラットにした下枠フラットサッシでは、室内への雨水の侵入を防ぐために、一定以上の水密性、気密性を確保するとともに、防水効果を高めるために、下枠に水抜き孔を設けてタイトラインの外側で排水を促進させる必要がある。
【００５０】
しかし、水抜き孔にゴミ等が詰まり、外部に通じている中空部に排水不可能となってしまっては、タイトラインを超えて室内に雨水が侵入する虞が生じる。
【００５１】
そこで、レール部の上面を取外し可能な構造としてレール部の下部のメンテナンスを可能とし、このレール部の下部を清掃することにより、水抜き孔の詰まりを防止し、もって防水効果を確実なものとし、併せてゴミ等の蓄積による不衛生状態を防止することができる。
【００５２】
＜実施の態様６＞
引き違いサッシを閉じた状態で内障子の召し合わせ框の底部に位置する、レール部の前記上面構成部材並びに前記レール部の室内側及び室外側側面で囲まれる範囲に、タイト材が埋設されている実施の態様５記載の外部開口用下枠フラットサッシである。
【００５３】
（作用効果）
引き違いサッシを閉じた状態で内障子の召し合わせ框の底部に位置する、レール部の前記上面構成部材並びに前記レール部の室内側及び室外側側面で囲まれる範囲に、タイト材が埋設されることにより、レール部下部に流れ込んだ雨水の室内への侵入が拒まれるため、防水効果を高めることができる。
【００５４】
『具体的な実施の形態』
以下、本発明の実施の形態を図面を参照しながら説明する。
本発明に係るサッシの一実施例である縦及び横断面図を、引き違いサッシについて図１、２に、片引きサッシについて図３、４に示す。図１〜４に示すように、当該サッシは、下枠１０、上枠７０、左縦枠７１及び右縦枠７２で枠体を形成し、この枠体に、引き違いサッシの場合には内障子３０及び外障子４０が装着され、又は片引きサッシ若しくは引き分けサッシの場合には、嵌め殺し部の縦枠６０及び外障子４０が装着され、当該サッシが構成される。
【００５５】
下枠１０の上面全体は略フラットに形成され、図６に示すように、室内の床面から下枠１０の上面、グレーチング７３、バルコニー７４に設けられたウッドデッキ７５等を略フラットに形成することができる。
【００５６】
以下に、内障子３０及び外障子４０からなる引き違いサッシを例にして、本発明に係るサッシの構造を詳述することにする。
＜障子構造＞
図１，２に示すように、外障子４０は、外障子下框４１及び図示しない上框と、並びに外障子縦框４３及び召し合わせ框４４とで障子を形成し、框で四周を囲まれた内部にガラス等が装着される。また、外障子下框の底部４５には、戸車４６が設けられており、この戸車４６が下枠レール部の上面１２ａを回動することにより、外障子４０が左右に移動する。
【００５７】
さらに、外障子下框４１には、室内側と室外側にそれぞれ垂下片４７，４８が延在している。上記障子の構造は、内障子３０においても、後述するブロック体５０を除いては略同様である。
【００５８】
本発明に係る内障子下框３６と外障子下框４１には、室内側垂下片３２、４７に加えて室外側垂下片３３、４８が設けられているので、図２１（ｂ）の点線で囲む範囲に示すように、室外側垂下片３３、４８によって、室外側の障子面や窓ガラスに沿って落下した雨水の室内への侵入が拒まれる。すなわち、室外側垂下片３３、４８は実質的な水切りとして機能している。
【００５９】
したがって、室外側垂下片３３、４８で水切りが行われることにより、雨水の大半は下枠室外側ガイド溝１７，１９に流れ落ち、中空部２１を介して外部に排出されるので、横タイト材７６によるタイトラインよりも上に位置するレール部の上面１１ａ、１２ａに雨水が浸入しにくくなっており、かつ室内側垂下片３２、４７と後述する横タイト材７６とで水密性や気密性を確実に確保することができる。
【００６０】
また、室外側垂下片３３、４８を設けたことにより、図２２（ｂ）の点線で囲った範囲に示すように、レール部の上面１１ａ、１２ａに埃や塵が溜まりにくく、そのため戸車３１，４６移動等による傷もつきにくくメンテナンス性にも優れており、また、図２３（ｂ）に示すように外部からバール７等を差し込まれるような隙間がなく、さらに、図２に示すように、サッシ右縦枠７２には、突出片７２ａを設けて内障子縦框とサッシ右縦枠７２との間にバール等が差し込まれる隙間をなくしており、同様に、外障子縦框４３とサッシ左縦枠７１との隙間もなくしているので防犯性にも優れている。
【００６１】
＜下枠構造＞
図５ａに示すように、下枠１０には、サッシ下枠を室内側から室外側を見て、第１の立ち上がり片１３、内障子３０に設けられた戸車３１が回動する内障子用のレール部１１、第２の立ち上がり片１４、及び外障子４０に設けられた戸車４６が回動する外障子用のレール部１２及び第３の立ち上がり片１５が形成されている。
【００６２】
図５ａに示すように、内障子用のレール部室内側側面１１ｂと第１の立ち上がり片１３とで内障子の室内側垂下片３２の室内側ガイド溝１６を、及び内障子用のレール部室外側側面１１ｃと第２の立ち上がり片１４とで内障子の室外側垂下片３３の室外側ガイド溝１７を形成している。なお、図５ａ中の斜線部分は、後述する水抜き孔、結露水孔、切欠きの部分を示しており、図５ｂには、水抜き孔２０ａ部分の部分断面を示している。
【００６３】
外障子用のレール部室内側側面１２ｂと第２の立ち上がり片１４とで外障子の室内側垂下片４７の室内側ガイド溝１８を、及び外障子用のレール部室外側側面１２ｃと第３の立ち上がり片１５とで外障子の室外側垂下片４８の室外側ガイド溝１９を形成している。
【００６４】
また、内障子の室内側垂下片３２と第１の立ち上がり片１３との間、及び外障子の室内側垂下片４７と第２の立ち上がり片１４との間を気密及び水密にするために、横タイト材７６が設けられており、この横タイト材７６とそれぞれの室内側垂下片３２，４７とが摺接及び密接することにより、下枠１０におけるタイトラインの一部が形成されている。
【００６５】
ここで、第２の立ち上がり片１４は、図５ａに示すように、排水溝としても機能するガイド溝１７とガイド溝１８とを区分けしている。この第２の立ち上がり片１４の上面１４ａは平面であり、かつ外障子用の横タイト材７６を取付けているので、実質的な外障子４０のタイトラインを形成している。好ましくは、横タイト材７６も上面１４ａと同一平面になるほうがよい。
【００６６】
さらに、内障子及び外障子用の下枠室外側ガイド溝１７，１９と外障子用の室内側ガイド溝１８には、排水溝としても機能するガイド溝に溜まった雨水を排出する水抜き孔２０ａ、２０ｃ、２０ｄ、２０ｅが形成されており、水抜き穴２０ａ、２０ｃ、２０ｄ、２０ｅに落ちた雨水は、下枠内に形成された中空部２１に流れ落ち、この中空部２１は、排水口２２を介して外部と連通しているため、最終的に雨水は、外部に排出されることになる。同様に、結露水孔２０ｆにより、結露水は、結露水排水弁２０ｇを通って排水口２２を介して外部に排出される。
【００６７】
すなわち、本発明に係るサッシ構造では、内障子下框３６及び外障子下框４１に、室外側垂下片３３、４８が設けられているので、室外側垂下片３３、４８が実質的な水切りとして機能するが、仮にレール部の上面１１ａ、１２ａに雨水が浸入した場合でも、室内側垂下片３３，４７と横タイト材７６により室内へ漏水をすることなく、雨水は下枠室内側ガイド溝１６，１８に落ち、中空部２１を介して外部に排出される。つまり、図１６に示すように、水切りライン８４とタイトライン８５を別々に設ける二重構造により、タイトライン８５の負担を軽減させ、水密性や気密性を高めているのである。
【００６８】
下枠１０の材質としては、アルミニウム合金等からなり、下枠自体は押出成形された部材によって形成されている。下枠１０の構成として、図５ａに示すように、下枠レール部の上面１１ａ、１２ｂを、下枠のベースを構成する下枠部材２３とは別部材とする場合、すなわちレール部の上面１１ａ、１２ａが取外し可能な下枠レール部の上面構成部材２４，２５を別に製造し、出来上がってからそれぞれを下枠部材２３の内障子用レール部立ち上がり片１１ｅ、１１ｆ、外障子用の立ち上がり片１２ｅ、１２ｆに嵌合することが考えられる。上面構成部材２４，２５を別部材とすると、図８に示すように、レール部の下部溝１１ｄ，１２ｄに水抜き孔２０ｂ、２０ｄ、結露水孔２０ｆを容易に設けることができるだけでなく、この水抜き孔２０ｂ、２０ｄ、結露水孔２０ｆに詰まったゴミなどを清掃し目詰まりによる室内への漏水を防ぐことができる。さらに、ゴミ等の蓄積による不衛生状態を防止することができる。
【００６９】
なお、図７ａ、７ｂに示すように、下枠部材２３ａ、２３ｂとして下枠を一体成形する場合、すなわち、中空部２１、レール部１１，１２並びに第１〜第３の立ち上がり片１２，１３，１４等を一体成型することも考えられる。ここで、例えば、図７ｂのような、レール部の下部溝１１ｄ、１２ｄに相当する空間が中空部２１と一体になっている下枠部材２３ｂでは、これらレール部の下部溝１１ｄ、１２ｄがないので、レール部の下部溝１１ｄ、１２ｄがある場合に必要な、清掃等のメンテナンスは不要である。
【００７０】
図８ａ、８ｂは、下枠レール部の上面構成部材２４，２５を取外した状態の平面図及び下枠断面図を示している。下枠１０には、水抜き孔２０ａ，２０ｂ、２０ｃ、２０ｄ、２０ｅが設けられており、これらの水抜き孔２０ａ，２０ｂ、２０ｃ、２０ｄ、２０ｅは、下枠内に形成された中空部２１と連通し、内障子及び外障子用の下枠室外側ガイド溝１７，１９と外障子用の室内側ガイド溝１８や内障子及び外障子用の下枠レール部の下部溝１１ｄ、１２ｄに溜まった雨水が、この中空部２１に流れ落ちるようになっている。同様に、結露水孔２０ｆにより、結露水も逆止弁つき結露水排水弁２０ｇを通って中空部２１に流れ落ちる。また、ガイド溝とレール部の下部溝との間を連通させるための切欠き２６も設けられている。
【００７１】
ここで、レール溝１１ｄ、１２ｄに設けられた水抜き孔２０ｂ、２０ｄについては、レール部の上面１１ａ、１２ａを乗り越えガイド溝１６、１８、に侵入した雨水があっても、外障子用レール部の室内側立ち上がり片１２ｅの切欠き２６及び内障子用レール部の室内側立ち上がり片１１ｅの切欠き２６により水抜き孔２０ｂ、２０ｄで排出され、また、風圧等で中空部２１からのしぶき（吹き上げ状態）があっても、レール部の上面でカバーされており、横タイト材７６へのしぶきはかかり難くしてある。
【００７２】
下枠の中空部２１には、外部と連通する排水口２２が設けられており、内障子及び外障子用の下枠室外側ガイド溝１７，１９と外障子用の室内側ガイド溝１８や内障子及び外障子用の下枠レール部の下部溝１１ｄ、１２ｄから水抜き孔２０ａ，２０ｂ、２０ｃ、２０ｄ、２０ｅを介して流れ落ちてきた雨水や結露水孔２０ｆから結露水排水弁２０ｇを通って落ちてきた結露水をこの排水口２２から、排出するようになっている。なお、この排水口２２には、外部からの風や、雨水、虫等の侵入を防ぐために、蓋２２ａが取り付けられており、逆止弁の機能を果たしている。
【００７３】
＜召し合わせ框部分の気密・水密構造＞
内障子の召し合わせ框の室外面３４ａと外障子の召し合わせ框の室内面４４ａとの間には、内外障子を閉じた状態で内障子の召し合わせ框３４と外障子の召し合わせ框４４とが噛み合い、外部からの風圧に耐えうるように、煙返し３４ｂ、４４ｂが設けられている。このうち、内障子の召し合わせ框の室外面３４ａに設けられた煙返し３４ｂには、内外障子が閉じた状態で、内障子の召し合わせ框の室外面３４ａと外障子の召し合わせ框の室内面４４ａとの間を気密にするための縦タイト材７８が設けられている。この縦タイト材７８は、内障子の召し合わせ框の室外面３４ａと外障子の召し合わせ框の室内面４４ａとの間を密接して気密性や水密性を確保し、内障子の召し合わせ框３４及び外障子の召し合わせ框４４に吹き付けられた雨水の室内への侵入を防ぐ。そして、縦タイト材７８はその下端で、図９に示すように、後述する召し合わせ框下部気密ブロック５１の側面で密接しており、縦タイトラインを形成している。なお、この縦タイト材７８を外障子の召し合わせ框の室内面４４ａに設けてもよい。
【００７４】
内障子の召し合わせ框の室外面３４ａ下部及び当該框底部３４ｃには、気密ブロック体５０が設けられている。この気密ブロック体５０は、内障子の召し合わせ框の室外面３４ａ下部と外障子の召し合わせ框の室内面４４ａ下部との間を気密・水密状態にするとともに、内障子の召し合わせ框底部３４ｃと第２の立ち上がり片１４の上面１４ａ及び内障子用の下枠レール部上面１１ａとの間を気密・水密状態にする。ここで、第２の立ち上がり片１４には横タイト材７６が取付けられており、かつ第２の立ち上がり片１４の上面１４ａと横タイト材７６とが略同一平面を形成しているので、水密性・気密性は確実なものとなっている。
【００７５】
図９，１０に示すように、気密ブロック体５０は、召し合わせ框下部気密ブロック５１、召し合わせ框底部気密ブロック５２及び底部気密ブロック用ヒレ５３から構成されている。
【００７６】
召し合わせ框下部気密ブロック５１は、ビス等により内障子の召し合わせ框の室外面３４ａ下部に高さ調整可能に取り付けられ、召し合わせ框底部気密ブロック５２と密接している。このうち、図１１で示す、ヒレの部分５１ａはＡＢＳを含む軟質塩ビ等の弾性体からなっている。この召し合わせ框下部気密ブロック５１の複数のヒレ５１ａにより、複数の気密・水密空間を形成し、内障子の召し合わせ框の室外面３４ａ下部と外障子の召し合わせ框の室内面４４ａ下部との間の高気密・高水密状態を確保し、召し合わせ框に沿って落下した雨水や召し合わせ框下部に吹き付けられた雨水の室内への侵入を防止することができる。
【００７７】
召し合わせ框底部気密ブロック５２は、内障子の召し合わせ框底部３４ｃに嵌合されている。図１２で示すように、この召し合わせ框底部気密ブロック５２には、室内側垂下片５２ａ及び室外側垂下片５２ｂが一体成形されていて、内障子の召し合わせ框底部３４ｃで切欠かれた内障子下框の室内側垂下片３２及び室外側垂下片３３を、実質的に延在させたかたちになっている。なお、召し合わせ框底部気密ブロックの室内側垂下片５２ａ及び室外側垂下片５２ｂは、必ずしも設ける必要がなく、その場合は内障子の下框の室内側垂下片３２及び室外側垂下片３３を延在させればよい。
【００７８】
召し合わせ框底部気密ブロック５２の底には、底部気密ブロック用ヒレ５３が、嵌合又は接着等されている。図１２で示す、底５２ｃが嵌合又は接着等される箇所である。図１３に示す、この底部気密ブロック用ヒレ５３は、ＡＢＳを含む軟質塩ビ等の弾性体からなり、内障子用のレール部上面１１ａと密接することにより、内障子の召し合わせ框底部３４ｃと内障子用のレール部上面１１ａとの間が気密・水密状態にされるので、下枠レール部上面１１ａからの雨水の侵入を防止することができる。なお、図１４に示すように、ヒレ５４ａを別部材とせずに、召し合わせ框底部気密ブロック５４と一体成形してもよい。
【００７９】
なお、これら召し合わせ框底部気密ブロック５１、召し合わせ框底部気密ブロック５２、５４及び底部気密ブロック用ヒレ５３等を、外障子の召し合わせ框の室内面４４ａ下部及び当該框底部４４ｃに設けてもよい。
【００８０】
図１５に示すように、召し合わせ框下部気密ブロック５１、召し合わせ框底部気密ブロック５２及び底部気密ブロック用ヒレ５３からなる気密ブロック体５０に加え、防水効果をさらに高めるため、召し合わせ框下部気密補助ブロック５５を、内障子の召し合わせ框のサッシ長手方向面３４ｄ下部にビス等で取り付けてもよい。召し合わせ框下部気密補助ブロック５５のうち、板状部材５５ａは、ＡＢＳを含む軟質塩ビ等の弾性体からなり、この板状部材５５ａは、外障子の召し合わせ框の室内面４４ａ下部の端部、下枠第２の立ち上がり片１４の上面１４ａ、内障子用の下枠室外側ガイド溝１６、及び内障子用レール部上面１１ａに密接し、雨水の室内への侵入があった場合にガイド溝１７，１８に排出を促して止水するので、防水効果をさらに高めることができる。
【００８１】
また、図８に示すように、引き違いサッシを閉じた状態で内障子の召し合わせ框の底部３４ｃに位置する、内障子用の下枠レール部の室内側及び室外側のガイド溝１６，１７には、溝付きタイトブロック７９が埋設されている。この溝付きタイトブロック７９は、ガイド溝１６、１７に流れ込んだ雨水の室内への流出を塞き止め、水抜き孔２０ａに雨水を排出させる
【００８２】
さらに、内障子用の下枠レール部の上面１１ａを，下枠のベースを構成する下枠部材２３ｂとは別部材とする場合、すなわち内障子用の下枠レール部の上面１１ａが取外し可能な上面構成部材２４を別部材とする場合には、引き違いサッシを閉じた状態で内障子の召し合わせ框の底部３４ｃに位置する、レール部の上面構成部材２４並びに前記レール部の立ち上がり片１１ｅ，１１ｆで囲まれる範囲（内障子用の下枠レール部の下部溝１１ｄ）に、溝付きタイトブロック８０が埋設されている。この溝付きタイトブロック８０により、上記と同様に、レール部の下部溝１１ｄに流れ込んだ雨水の室内への流出を塞き止め、水抜き孔２０ａ、２０ｄに雨水を排出させる。
【００８３】
図８に示すように、水抜き孔２０ａは、召し合わせ框タイトライン８５ｃよりも外部かつ近接した位置に設けられており、レール部下部溝１１ｄ、ガイド溝１７、１８の底部及び内障子用レール部室外側立ち上がり片１１ｆ、第２の立ち上がり片１４を切欠いて開孔している。
【００８４】
ここで、第２の立ち上がり片１４のが召し合わせ框タイトライン８５ｃの外で切欠かれ、上面１４ａの連続性が遮断されているのは、上面１４ａに落ちた雨水がそのまま第２の立ち上がり片１４の上面１４ａを伝わって室内側に侵入するのを遮断するとともに、召し合わせ框タイトライン８５ｃの外部での排水を良好にし、召し合わせ框タイトライン８５ｃの負担を軽減するためである。
【００８５】
＜水切りライン及びタイトライン＞
本発明に係るサッシ構造では、内障子３０及び外障子４０に室外側垂下片３３，４８を設け下枠レール部の上面１１ａ，１２ａへの雨水の侵入を少なくしたことにより、下枠全体として水密性や気密性を高めている。すなわち、図１６ａで示すように、内障子３０及び外障子４０に室外側垂下片３３，４８による水切りライン８４と、上記に述べた、内障子及び外障子の室内側垂下片３２，４７と横タイト材７６との密接、内障子召し合わせ框３４部分の縦タイト材７８、気密ブロック５０、溝付きタイトブロック７９，８０及び必要に応じて召し合わせ框下部気密補助ブロック５５を加えた、内障子室内側タイトライン８５ａ、外障子室内側タイトライン８５ｂ及び召し合わせ框タイトライン８５ｃより構成される下枠タイトライン８５とを別々に設ける二重構造により、タイトライン８５の負担を軽減させ防水性を高めている。
【００８６】
また、内障子３０及び外障子４０に室外側垂下片３３，４８を設けたことにより、引き違いサッシの内障子３０の召し合わせ框の室外側３４ａ下部や当該框の底部３４ｃにおける水密性や気密性の確保を容易にしている。すなわち、レール部の上面１１ａに位置する、召し合わせ框の底部３４ｃの水密性や気密性は高くなっている。
【００８７】
さらに、内障子３０及び外障子４０に室外側垂下片３３，４８を設けたことにより、召し合わせ框の室外側３４ａ下部の気密ブロック５０、溝付きタイトブロック７９，８０及び水抜き孔２０ａによる雨仕舞を、その構造を複雑にせずに確実に行うことができるようにしている。
【００８８】
他方、当然のことながら、本発明に係るサッシは、図２で示すように、左右のサッシ縦枠７１、７２には、縦タイト材８１を設けており、引き違いサッシを閉じた状態で、外障子の縦框４３の室内面及び内障子の縦框３５の室内面とそれぞれの縦タイト材８１とを密接させ、サッシ高さ方向のタイトラインも形成しており、下枠のタイトライン８５と実質的に一体化して室内への漏水を防いでいる。
【００８９】
本発明の別の実施形態としては、片引きサッシ又は引き分けサッシ等の開閉式外部開口部への適用が考えられる。これらのサッシと引き違いサッシとの大きな違いは、内障子３０の代わりに嵌め殺し部６０が設けられることである。したがって、サッシ構造の違いとしては、図４で示すように、引き違いサッシの場合に必要であった内障子用のレール部１１がなくなり、この部分の防水対策が不要になる。
【００９０】
＜グレーチング装置＞
本発明に係るグレーチング装置については、先に図６を参照して若干説明したが、詳細を図１７〜図２１に図示した。なお、図１７及び図１８は、片引き障子の例であるが、内外障子からなる引違いサッシにおいても、当然に適用できるものであることを予め述べておく（図６は内外障子からなる引違いサッシにグレーチング装置を設けた例を示してある。）。
【００９１】
本発明に従って、図６にも示されているように、前述の構造の外部開口用下枠フラットサッシと、室外側のデッキ７５と、これらの間を塞ぐグレーチング部材７３とを略フラットに配設してグレーチング装置を構成してある。
【００９２】
図１及び図１７に示すように、下枠１０から網戸８２の走行用のレール部（第３の立ち上がり片）１５を立ち上げて形成してある。すなわち、第３の立ち上がり片１５を網戸８２の走行用のレール部としてある例である。
【００９３】
このレール部１５には、図１７に示すように、網戸８２の戸車８２ａが走行できるように、レール部１５の上部室外側に突出してフック片部１５Ａが形成され、下向きの係合受け溝１５Ｂが長手方向に連続して形成されている。
【００９４】
他方で、図２０に示すように、下枠１０の長手方向中間に室外側に突出して複数の、実施の形態では３つの受け支持部材９０が配設されている（図２０には長手方向端部に位置する受け支持部材９０のみが図示されている）。
【００９５】
受け支持部材９０は、その室内側端面が下枠１０の室外面に当接し、かつ受け支持部材９０の室内側上部が係合受け溝１５Ｂに係合した状態で下枠１０に固定され、グレーチング部材７３は複数の受け支持部材９０，９０…上に跨って配設されている。
【００９６】
受け支持部材９０の具体例は、図２０及び図２１が参照されるように、隣接して室外側に突出する受け支持板部９０Ａ，９０Ａと、これら室外側を繋ぐ繋ぎ部９０Ｂと、各受け支持板部９０Ａ，９０Ａの室内側において下枠１０の長手方向に沿う固定座部９０Ｃ，９０Ｃとが一体化されたものである。
【００９７】
固定座部９０Ｃ，９０Ｃは各受け支持板部９０Ａ，９０Ａの下部に形成され、かつ、図１７及び図２１に示されているように、固定座部９０Ｃ，９０Ｃの室内面は各受け支持板部９０Ａ，９０Ａの室内側端面より室内側に張出して位置し、他方で、下枠１０の室外面には下側より上側が室外側に張出す段部１０ａが形成されている。
【００９８】
そして、各受け支持板部９０Ａ，９０Ａの室内側上部９０ａ，９０ａが係合受け溝１５Ｂにそれぞれ係合し、各受け支持板部９０Ａ，９０Ａの室内側端面が下枠１０の室外面、より具体的には段部１０ａからレール部１５にかけて当接している。かかる状態で、固定座部９０Ｃ，９０Ｃが下枠１０の室外面に、より具体的には下枠１０の段部１０ａの肩に当てられた状態で当接され，固定具、具体例としては固定ビス９１，９１により固定されている。また、前記段部１０ａの下方には、図１及び図１７に示すように、下枠１０に受け突片部１０ｂが室外側に突出して形成されている。
【００９９】
一方で、グレーチング部材７３は、例えばステンレス製とされ、グレーチング本体板７３Ｃと、室内片７３Ａと、室外片７３Ｂと、を備えた横断面溝形に形成され、その中央に長手方向に間隔を置いて排水用孔が多数形成され、その室内片７３Ａが受け支持板部９０Ａ，９０Ａに形成された係止切欠部９０ｂ，９０ｂに係止され、室外片７３Ｂが受け支持板部９０Ａ，９０Ａの室外側面にほぼ当たる状態で、複数の受け支持部材９０，９０…上に跨って配設されている。グレーチング部材７３に対し、受け支持部材９０も金属製であるので、図２０に示すように、受け支持部材９０上面に設けた、より具体的には各受け支持板部９０Ａ，９０Ａ上面に設けたゴムまたはプラスチック材９２，９２を介して乗っている。
【０１００】
このように構成されたグレーチング装置においては、受け支持部材９０は、その室内側上部９０ａがレール部１５の上部室外側に下向きの係合受け溝１５Ｂに係合し、受け支持部材９０の室内側端面が下枠１０の室外面に当接し、されに受け突片部１０ｂ上に乗る状態で下枠１０に固定されている。したがって、グレーチング部材７３を介しての載荷重に伴う受け支持部材９０の、図１７基準で反時計回りの回転モーメントを、係合受け溝１５Ｂで受け止めつつ、受け支持部材９０の室内側端面が下枠１０の室外面に当接する突っ張りで支持できる。よって、荷重に対する安定性はビス止めによる場合に比較して、格段に優れたものとなる。
【０１０１】
その結果、ビス９１，９１による固定箇所は、特許文献１のように上下それぞれにおいてビス固定が必要となることなく、受け支持部材９０の下部のみで足りる、実施の形態では２つの固定箇所で足りるので、その分施工の手数が削減する。しかも、受け支持部材９０は、その室内側上部９０ａを係合受け溝１５Ｂに係合することで、上下方向に位置決めを行うことができ、位置決めを簡易にかつ正確に行うことができ、下枠フラットサッシ−室外側のデッキ−グレーチング部材のフラット化を確実に行うことができる。さらに、受け支持部材９０の取り付け開始時において、受け支持部材９０の室内側上部９０ａを係合受け溝１５Ｂに係合し、かつ、受け支持部材９０下部を受け突片部１０ｂに乗せておくことにより、受け支持部材９０を手での押さを係続することなく下枠１０に対して仮保持できるので、受け支持部材９０のビス９１，９１固定作業が簡易に行うことができる。
【０１０２】
より具体的な作用効果については作用効果の欄に記載した前述の通りであるので繰り返しを省く。
【０１０３】
＜グレーチング装置の他の実施例＞
本発明に係るグレーチング装置の他の実施例について、図２５〜図３０に基づいて詳細に説明する。なお、図２５は他の実施例に係るグレーチング装置を備えた、網戸付き引き違いサッシの場合のサッシ構造の縦断面図、図２６はその部分拡大図、図２７はグレーチング装置を片引きサッシの下枠に取付けた状態を示す斜視図、図２８は他の実施例に係るグレーチング装置の受け支持部材の平面図（ａ）、正面図（ｂ）及び側面図（ｃ）、図２９はその斜視図、図３０はグレーチング部材の平面図（ａ）及び短辺方向側面図（ｂ）である。
【０１０４】
本発明に係るグレーチング装置の他の実施例において、段部１０ａ、受け突片部１０ｂ、フック片部１５Ａ、係合受け溝１５Ｂ等の下枠１０の構成は上記と同じであるので、説明を省略する。また、上記と同様に、受け支持部材１９０は下枠１０の長手方向中間に室外側に突出して複数（実施の形態では３つ）配設されている（図２７には長手方向端部に位置する受け支持部材１９０と中間に位置する受け支持部材１９０が図示されている）。そして、受け支持部材１９０は、その室内側端面が下枠１０の室外面に当接し、かつ受け支持部材１９０の室内側上部が係合受け溝１５Ｂに係合した状態で下枠１０に固定され、後述するグレーチング部材１７３は複数の受け支持部材１９０，１９０…上に跨って配設されている。
【０１０５】
まず、受け支持部材１９０について説明する。受け支持部材１９０は、隣接して室外側に突出する受け支持板部１９０Ａ，１９０Ａと、これら室外側を繋ぐ繋ぎ部１９０Ｂと、該繋ぎ部１９０Ｂの下側に連接され、この繋ぎ部１９０Ｂから少なくともグレーチング部材の室外片１７３Ｂの肉厚分の間隔をもって室外側に突出すると共に上方に延在し、室外片１７３Ｂを係合させる係合受け片１９０Ｄと、各受け支持板部１９０Ａ，１９０Ａの室内側において下枠１０の長手方向に沿う固定座部１９０Ｃ，１９０Ｃと、を備え、一体化されている。
【０１０６】
固定座部１９０Ｃ，１９０Ｃは各受け支持板部１９０Ａ，１９０Ａの下部に形成され、かつ、図２６及び図２８（ｃ）に示されているように、固定座部１９０Ｃ，１９０Ｃの室内面は各受け支持板部１９０Ａ，１９０Ａの室内側端面より室内側に張出している。また、各受け支持板部１９０Ａ，１９０Ａの室内側上部１９０ａ，１９０ａは係合受け溝１５Ｂにそれぞれ係合し、各受け支持板部１９０Ａ，１９０Ａの室内側端面が下枠１０の室外面、より具体的には段部１０ａからレール部１５にかけて当接している。かかる状態で、固定座部１９０Ｃ，１９０Ｃが下枠１０の室外面に、より具体的には下枠１０の段部１０ａの肩に当てられた状態で当接され，固定具、具体例としては固定ビス９１，９１により固定されている。そして、受け支持部材１９０は、その室内側上部１９０ａがレール部１５の上部室外側に下向きの係合受け溝１５Ｂに係合し、受け支持部材１９０の室内側端面が下枠１０の室外面に当接し、さらに受け突片部１０ｂ上に乗る状態で下枠１０に固定されている構成は、前述したグレーチング装置の実施例と同様であるため、効果等を含む詳細な説明は省略する。
【０１０７】
係合受け片１９０Ｄは繋ぎ部１９０Ｂの室外面と共に、図２５及び図２６に示すように、断面略溝形のグレーチング部材の室外片１７３Ｂを係合する溝を形成し、この溝に室外片１７３Ｂを係合する構成となっている。そのため、室内側から室外側及び室外側から室内側へのグレーチング部材１７３のズレ（スライド移動）、又は室内側から室外側若しくは室外側から室内側へのズレ（スライド移動）が防止される。また、係合受け片１９０Ｄの室外面は、より室外側に配置されるデッキ７５を敷設する際の、配置の位置決めのための基準面となる。すなわち、デッキ７５を敷設するときには、この係合受け片１９０Ｄの室外面を頼りに、デッキ７５の室内側の端縁を係合受け片１９０Ｄの室外面に当接するだけで位置決めができるので、デッキ７５の敷設作業を容易化する。また、グレーチング部材１７３とデッキ７５との間には、少なくとも係合受け片１９０Ｄの肉厚分の隙間ができるので、図２６及び図２７に示すように、サッシ長手方向に隣接する受け支持部材１９０，１９０間の隙間にグレーチング部材１７３やデッキ７５に溜まった雨水等を排水することができる。さらに、グレーチング本体板１７３Ｃ上に人等が乗った際の、室内側から室外側及び室外側から室内側へのグレーチング部材１７３の回転運動（傾き）、又は室内側から室外側若しくは室外側から室内側への回転運動（傾き）も抑止することができる。なお、回転運動（傾き）の抑止は、後述するグレーチング部材１７３の折曲部１７３Ｄが主要な働きをし、係合受け片１９０Ｄによる抑止は補助的なものである。
【０１０８】
受け支持板部１９０Ａには、前述したグレーチング装置の実施例の係止切欠部９０ｂの代わりに、載置切欠部１９０ｂが形成されている。載置切欠部１９０ｂは、後述するグレーチング部材１７３の折曲部１７３を載置するためのものであり、少なくとも折曲部１７３の室外方向への折り返し長さ分だけ、受け支持板部１９０Ａの一部が切り欠かれて形成される。
【０１０９】
また、グレーチング部材１７３との接触による金属音の発生等を防ぐために、載置切欠部１９０ｂを含む受け支持板部１９０Ａにはゴムまたはプラスチック材９２，９２が取付けられており、グレーチング部材１７３はこの材を介して受け支持部材１９０上に乗っている。
【０１１０】
次に、グレーチング部材１７３について説明する。グレーチング部材１７３は、グレーチング本体板１７３Ｃと、該グレーチング本体板１７３Ｃの室内及び室外側端縁からそれぞれ下方に折曲させた室内片１７３Ａ及び室外片１７３Ｂと、室内片１７３Ａの下端縁には、該下端縁から室外方向に折曲した折曲部１７３Ｄと、を備えた、ステンレス製等からなる部材である。ここで、図示はしないが、グレーチング本体板１７３Ｃに、サッシ長手方向に所定の間隔を置いて、排水用孔（形状は任意）を多数形成したり、スリップ止めのエンボス加工を施すことが好ましい。
【０１１１】
グレーチング本体板１７３Ｃは、人等がその上に乗る部材であり、ゴムまたはプラスチック材９２，９２を介して受け支持部材１９０上に載置されている。また、室外片１７３Ｂは、グレーチング部材１７３が複数の受け支持部材１９０上に跨って配設される際に、受け支持板部１９０Ａの室外側端縁に隣接すると共に、係合受け片１９０Ｄと繋ぎ部１９０Ｂの室外面とにより形成された溝に係合される部材である。この係合による作用効果は前に述べたので省略する。折曲部１７３Ｄの作用効果としては、グレーチング部材１７３自体の剛性を強化し、グレーチング本体板上に人等が乗った際の撓み等を抑止する。また、折曲部が載置切欠部１９０ｂ上に載置された構成とすることにより、グレーチング本体板１７３Ｃ上に人等が乗った際の、室内側から室外側及び室外側から室内側へのグレーチング部材１７３の回転運動（傾き）、又は室内側から室外側若しくは室外側から室内側への回転運動（傾き）が抑止されるものである。以上のように、上記構成によるグレーチング部材１７３は、複数の受け支持部材１９０上に跨って配設されることにより、ズレ（スライド移動）や傾き（回転運動）が防止される
【０１１２】
次に、本発明に係るグレーチング装置のさらに他の実施例について説明する。さらに他の実施例としては、図示はしないが、受け支持部材１９０の係合受け片１９０Ｄをなくしたものも提案される。この場合、グレーチング部材１７３の折曲部１７３Ｄの長さを長くし、グレーチング部材１７３のズレ（スライド移動）や傾き（回転運動）の防止は、専ら、グレーチング部材１７３の折曲部１７３Ｄと載置切欠部１９０ｂとの係合により行われる。また、グレーチング部材１７３の折曲部１７３Ｄをなくしたものも提案される。この場合、載置切欠部１９０ｂ上に載置されるのは、グレーチング部材１７３の室内片１７３Ａの下端となる。
【図面の簡単な説明】
【０１１３】
【図１】本発明に係る、引き違いサッシの場合の、サッシ下枠構造の縦断面図を示す。
【図２】本発明に係る、引き違いサッシの場合の、サッシ構造の横断面図を示す。
【図３】本発明に係る、方引きサッシの場合の、サッシ構造の縦断面図を示す。
【図４】本発明に係る方引きサッシの場合の、サッシ構造の横断面図を示す。
【図５】本発明に係る、引き違いサッシの場合の、サッシ下枠構造の縦断面の部分拡大図を示す。
【図６】本発明に係る、引き違いサッシを採用したマンション等の、室内から屋外バルコニーまでの縦断面図を示す。
【図７】本発明に係る、引き違いサッシの場合の、他の実施例のサッシ下枠構造の縦断面の部分拡大図を示す。
【図８】本発明に係る、引き違いサッシの場合の、サッシ下枠構造の水抜き孔、水切り、タイト材の平面配置図及び下枠断面図を示す。
【図９】気密ブロック体を内障子の召し合わせ框に取り付け、下から見上げた状態を示す。
【図１０】気密ブロック体を内障子の召し合わせ框に取り付け、室外側から見た状態を示す。
【図１１】召し合わせ框下部気密ブロックの射視図、正面図、側面図を示す。
【図１２】召し合わせ框底部気密ブロックの正面図、側面断面図、底面図を示す。
【図１３】底部気密ブロック用ヒレの正面図、正面断面図、底面図を示す。
【図１４】召し合わせ框底部気密ブロックの他の実施例の正面図、射視図を示す。
【図１５】召し合わせ框下部気密補助ブロックの射視図、正面図を示す。
【図１６】下枠の水切りライン、タイトライン及び下枠断面図を示す。
【図１７】本発明に係るグレーチング装置を備えた、網戸付き片引きサッシの場合のサッシ構造の縦断面図である。
【図１８】その水平断面図である。
【図１９】グレーチングの取り付け状態斜視図である。
【図２０】受け支持部材の取り付け状態斜視図である。
【図２１】受け支持部材の平面図（ａ）及び側面図（ｂ）である。
【図２２】従来例であるサッシ下枠構造（ｂ）と本発明に係るサッシ下枠構造（ａ）の防水性を比較する図面を示す。
【図２３】従来例であるサッシ下枠構造（ｂ）と本発明に係るサッシ下枠構造（ａ）のメンテナンス性を比較する図面を示す。
【図２４】従来例であるサッシ下枠構造（ｂ）と本発明に係るサッシ下枠構造（ａ）の防犯性を比較する図面を示す。
【図２５】他の実施例に係るグレーチング装置を備えた、網戸付き引き違いサッシの場合のサッシ構造の縦断面図である。
【図２６】その部分拡大図である。
【図２７】グレーチング装置を片引きサッシの下枠に取付けた状態を示す斜視図である。
【図２８】他の実施例に係るグレーチング装置の受け支持部材の平面図（ａ）、正面図（ｂ）及び側面図（ｃ）である。
【図２９】その斜視図である。
【図３０】グレーチング部材の平面図（ａ）及び短辺方向側面図（ｂ）である。
【符号の説明】
【０１１４】
１…従来の内障子、１ａ…従来の内障子下框、１ｃ…従来の内障子下框の垂下片、２…従来例の外障子、２ａ…従来例の外障子下框、２ｃ…従来の内障子下框の垂下片、３…窓ガラス、４…従来例の内障子用の下枠レール部上面、５…従来例の外障子用の下枠レール部上面、６…戸車、７…バール、１０…下枠、１０ａ…段部、１０ｂ…受け突片部、１１…内障子用の下枠レール部、１１ａ…内障子用の下枠レール部上面、１１ｂ…内障子用の下枠レール部室内側側面、１１ｃ…内障子用の下枠レール部室外側側面、１１ｄ…内障子用の下枠レール部の下部溝、１１ｅ…内障子用の下枠レール部室内側立ち上がり片、１１ｆ…内障子用の下枠レール部室外側立ち上がり片、１２…外障子用の下枠レール部、１２ａ…外障子用の下枠レール部上面、１２ｂ…外障子用の下枠レール部室内側側面、１２ｃ…外障子用の下枠レール部室外側側面、１２ｄ…外障子用の下枠レール部の下部溝、１２ｅ…外障子用の下枠レール部室内側立ち上がり片、１２ｆ…外障子用の下枠レール部室外側立ち上がり片、１３…第１の立ち上がり片、１４…第２の立ち上がり片、１５…第３の立ち上がり片（網戸走行用のレール部）、１５Ａ…フック片部、１５Ｂ…係合受け溝、１６…内障子用の下枠室内側ガイド溝、１７…内障子用の下枠室外側ガイド溝、１８…外障子用の下枠室内側ガイド溝、１９…外障子用の下枠室外側ガイド溝、２０ａ、２０ｂ、２０ｃ、２０ｄ、２０ｅ…水抜き孔、２１…下枠中空部、２２…排水口、２２ａ…排水口蓋、２３、２３ａ、２３ｂ…下枠部材、２４…内障子用の下枠レール部上面構成部材、２５…外障子用の下枠レール部上面構成部材、２６…切欠き、３０…内障子、３１…内障子戸車、３２…内障子室内側垂下片、３３…内障子室外側垂下片、３４…内障子召し合わせ框、３４ａ…内障子召し合わせ框室外面、３４ｂ…内障子煙返し、３４ｃ…内障子召し合わせ框底部、３４ｄ…内障子召し合わせ框のサッシ長手方向面下部、３５…内障子縦框、３６…内障子下框、４０…外障子、４１…外障子下框、４３…外障子縦框、４４…外障子召し合わせ框、４４ａ…外障子召し合わせ框室外面、４４ｂ…外障子煙返し、４４ｃ…外障子召し合わせ框底部、４５…外障子下框底部、４６…外障子戸車、５０…気密ブロック体、５１…召し合わせ框下部気密ブロック、５１ａ…ヒレ部、５２…召し合わせ框底部気密ブロック、５２ａ…室内側垂下片部、５２ｂ…室外側垂下片部、５２ｃ…底部、５３…底部気密ブロック用ヒレ、５３ａ…ヒレ部、５４…召し合わせ框底部気密ブロック（ヒレ付き）、５４ａ…ヒレ部、５５…召し合わせ框下部補助ブロック、５５ａ…板状部材、６０…嵌め殺し障子、７０…サッシ上枠、７１…サッシ左縦枠、７２…サッシ右縦枠、７２ａ…突出部、７３…グレーチング部材、７３Ａ…室内片、７３Ｂ…室外片、７３Ｃ…グレーチング本体板、７４…バルコニー、７５…デッキ、７６…横タイト材、７８，８１…縦タイト材、７９、８０…埋設タイト材、８２…網戸、８４…水切りライン、８５…タイトライン、９０…受け支持部材、９０Ａ…受け支持板部、９０ａ…室内側上部、９０ｂ…係止切欠部、９０Ｂ…繋ぎ部、９０Ｃ…固定座部、９１…ビス、１７３…グレーチング部材、１７３Ａ…室内片、１７３Ｂ…室外片、１７３Ｃ…グレーチング本体板、１７３Ｄ…折曲部、１９０…受け支持部材、１９０Ａ…受け支持板部、１９０ａ…室内側上部、１９０ｂ…載置切欠部、１９０Ｂ…繋ぎ部、１９０Ｃ…固定座部、１９０Ｄ…係合受け片。
【図１】
2004270434.tif 000003
【図２】
2004270434.tif 000004
【図３】
2004270434.tif 000005
【図４】
2004270434.tif 000006
【図５】
2004270434.tif 000007
【図６】
2004270434.tif 000008
【図７】
2004270434.tif 000009
【図８】
2004270434.tif 000010
【図９】
2004270434.tif 000011
【図１０】
2004270434.tif 000012
【図１１】
2004270434.tif 000013
【図１２】
2004270434.tif 000014
【図１３】
2004270434.tif 000015
【図１４】
2004270434.tif 000016
【図１５】
2004270434.tif 000017
【図１６】
2004270434.tif 000018
【図１７】
2004270434.tif 000019
【図１８】
2004270434.tif 000020
【図１９】
2004270434.tif 000021
【図２０】
2004270434.tif 000022
【図２１】
2004270434.tif 000023
【図２２】
2004270434.tif 000024
【図２３】
2004270434.tif 000025
【図２４】
2004270434.tif 000026
【図２５】
2004270434.tif 000027
【図２６】
2004270434.tif 000028
【図２７】
2004270434.tif 000029
【図２８】
2004270434.tif 000030
【図２９】
2004270434.tif 000031
【図３０】
2004270434.tif 000032